(57)【要約】【課題】視聴する映像に最適な表示サイズに調整可能にする。【解決手段】光源１０２と、当該光源１０２からの光を映像信号に基づいて変調する液晶ライトバルブ１０１と、当該液晶ライトバルブ１０１により変調された光を投写する投写ズームレンズ２とを有するプロジェクタ１であって、投写表示する映像のジャンルを、前記映像信号に基づいて判定し、前記投写光学部が投写して表示する映像の表示サイズを前記ジャンルに応じて最大表示サイズ３１から最小表示サイズ３２までの間で可変制御するコンテンツ判定回路１０８を備える構成とした。【選択図】図２
2008135801.tif 000002
【特許請求の範囲】
【請求項１】
光源と、当該光源からの光を映像信号に基づいて変調するライトバルブと、当該ライト
バルブにより変調された光を投写する投写光学部とを有する投写型表示装置であって、
投写表示する映像のジャンルを、前記映像信号に基づいて判定し、前記投写光学部が投
写して表示する映像の表示サイズを前記ジャンルに応じて最大表示サイズから最小表示サ
イズまでの間で可変制御する判定制御部を備えることを特徴とする投写型表示装置。
【請求項２】
請求項１に記載の投写型表示装置において、
前記判定制御部は、前記映像のジャンルが映画であるか否かを判定する映画判定部を有
し、前記映画判定部によって前記映像のジャンルが映画であると判定した場合に、前記表
示サイズを前記最大表示サイズにする
ことを特徴とする投写型表示装置。
【請求項３】
請求項２に記載の投写型表示装置において、
前記映画判定部は、前記映像の撮影時のフレームレートを検出する撮影フレーム周波数
検出部を有し、撮影時のフレームレートが毎秒２４フレームである場合に、前記映像のジ
ャンルが映画であると判定することを特徴とする投写型表示装置。
【請求項４】
請求項１乃至３のいずれかに記載の投写型表示装置において、
前記判定制御部は、前記映像のジャンルがスポーツであるか否かを判定するスポーツ判
定部を有し、前記スポーツ判定部によって前記映像のジャンルがスポーツであると判定し
た場合に、前記表示サイズを前記最大表示サイズと前記最小表示サイズとの間の表示サイ
ズにすることを特徴とする投写型表示装置。
【請求項５】
請求項４に記載の投写型表示装置において、
前記判定制御部は、前記映像の動きベクトルに基づいて、撮影時のパンを検出するパン
検出部を有し、前記パンが検出された場合に、前記映像のジャンルがスポーツであると判
定することを特徴とする投写型表示装置。
【請求項６】
光源と、当該光源からの光を映像信号に基づいて変調するライトバルブと、当該ライト
バルブにより変調された光を投写する投写光学部とを有する投写型表示装置であって、
投写表示する映像のジャンルに関する情報を外部から取得する情報取得部と、
前記情報取得部が取得した情報に基づいて前記映像のジャンルを判定し、前記投写光学
部が投写して表示する映像の表示サイズを前記ジャンルに応じて最大表示サイズから最小
表示サイズまでの間で可変制御する判定制御部と
を備えることを特徴とする投写型表示装置。
【請求項７】
請求項６に記載の投写型表示装置において、
前記情報取得部は、電気通信回線を通じて外部の通信端末と通信し、前記映像のジャン
ルに関する情報を取得する通信部を有する
ことを特徴とする投写型表示装置。
【請求項８】
請求項６に記載の投写型表示装置において、
前記情報取得部は、放送波に重畳されている放送データを受信し、当該放送データから
前記映像のジャンルに関する情報を取得する
ことを特徴とする投写型表示装置。
【請求項９】
請求項１又は６に記載の投写型表示装置において、
前記判定制御部は、前記映像のジャンルが映画、スポーツ及びその他のどれに該当する
か判定し、前記映像のジャンルが映画である場合に、前記表示サイズを前記最大表示サイ
ズにし、前記映像のジャンルがスポーツである場合に、前記表示サイズを前記最大表示サ
イズと前記最小表示サイズとの間の表示サイズにし、前記映像のジャンルがその他である
場合に、前記表示サイズを前記最小表示サイズにする
ことを特徴とする投写型表示装置。
【請求項１０】
請求項１乃至９のいずれかに記載の投写型表示装置において、
前記映像の画質に関する調整項目の設定値のプリセットを前記映像のジャンル毎に保持
し、前記ジャンル判定部によって判定されたジャンルに対応するプリセットに基づいて前
記映像の画質を調整する画質調整部を備えることを特徴とする投写型表示装置。
【請求項１１】
請求項１０に記載の投写型表示装置において、
前記画質の調整項目には、少なくともコントラスト調整を含み、
前記各プリセットのコントラスト調整値は、前記表示サイズが小さくなるにしたがって
値が小さくなるように設定されていることを特徴とする投写型表示装置。
【請求項１２】
請求項１乃至１１のいずれかに記載の投写型表示装置において、
前記投写光学部は、ズームレンズ、或いは、複数の焦点距離を備えたマルチフォーカス
レンズを有することを特徴とする投写型表示装置。
【請求項１３】
光源からの光を、映像信号に基づいてライトバルブにより変調して投写する投写表示方
法において、投写して表示する映像のジャンルに応じて、投写時の表示サイズを最大表示
サイズから最小表示サイズまでの間で可変することを特徴とする投写表示方法。
【請求項１４】
光源と、当該光源からの光を映像信号に基づいて変調するライトバルブと、当該ライト
バルブにより変調された光を投写する投写光学部とを有する投写型表示装置を、
投写表示する映像のジャンルを、前記映像信号に基づいて判定し、前記投写光学部が投
写して表示する映像の表示サイズを前記ジャンルに応じて最大表示サイズから最小表示サ
イズまでの間で可変制御する手段として機能させる投写表示制御プログラム。
【発明の詳細な説明】
【技術分野】
【０００１】
本発明は、スクリーンに映像を投写して表示する投写型表示装置、投写表示方法及び投
写表示制御プログラムに関する。
【背景技術】
【０００２】
スクリーンに映像を投写して表示する投写型表示装置として、拡大投写時のズーム倍率
を可変するものが知られている。この種の投写型表示装置には、例えば、表示サイズが指
示された場合に、スクリーンまでの投写距離を測定し、指示された表示サイズ及び投写距
離に基づいてズーム倍率を算出し、所望の表示サイズに自動で変更するものがある（例え
ば、特許文献１）。
また例えば、アスペクト比が４：３表示モードのようなＮＴＳＣ信号や、アスペクト比
が１６：９表示モードのようなＨＤＴＶ信号、ＮＴＳＣ信号と走査線数が異なるＰＡＬ信
号といった、走査線数又はアスペクト比が互いに異なる複数規格の映像信号が切換えて入
力されたときに、映像信号の規格に応じてズーム倍率を可変し、余白部分が表示されない
ようにした投写型表示装置も知られている（例えば、特許文献２参照）。
また例えば、スクリーンの周囲の光量である環境光量と表示光量との比が所定値を維持
するように、ズーム倍率を可変することで、スクリーンの周囲が明るくなった場合でも、
一定コントラストを維持し、映像が見にくくなることを防止するようにした投写型表示装
置も知られている（例えば、特許文献３参照）
【０００３】
ところで、視聴に適した表示サイズは映像のジャンルごとに異なっており、例えば、映
画においては、映画館等の大型スクリーンへの投写を前提に作成されているため、大画面
サイズでの視聴が適している。これとは逆に、映画以外の一般的なテレビ番組放送などは
、３０インチ程度のテレビ画面に表示さることを想定して作成されており、出演者の顔の
クローズアップシーンが多用されている。したがって、このような映像を例えば８０イン
チ程度の大画面サイズで視聴すると、視聴者に非常に違和感を与えることとなり、このよ
うな映像は、比較的小さい画面サイズでの視聴が適していると言える。また、野球やサッ
カー等のスポーツ中継の映像は、試合の全体像がわかるように有る程度広い視野で撮影さ
れており、視聴時に臨場感をだすために、一般的なテレビ番組放送よりも大きな、例えば
６０インチ程度の中程度の画面サイズでの視聴が適していると言える。
【特許文献１】特開平５−３２３４５１号公報
【特許文献２】特開平６−２４５１７６号公報
【特許文献３】特開２００６−４７３３４号公報
【発明の開示】
【発明が解決しようとする課題】
【０００４】
しかしながら、従来の投写型表示装置においては、映像のジャンルに応じて最適な画面
の表示サイズで映像を視聴することができない。したがって、視聴者が最適な表示サイズ
で映像を視聴するためには、その都度、表示サイズを調整する必要があり操作が面倒であ
った。
本発明は、上述した事情に鑑みてなされたものであり、視聴する映像ごとに最適な表示
サイズに調整することができる投写型表示装置、投写表示方法、及び、投写表示制御プロ
グラムを提供することを目的とする。
【課題を解決するための手段】
【０００５】
上記目的を達成するために、本発明は、光源と、当該光源からの光を映像信号に基づい
て変調するライトバルブと、当該ライトバルブにより変調された光を投写する投写光学部
とを有する投写型表示装置であって、投写表示する映像のジャンルを、前記映像信号に基
づいて判定し、前記投写光学部が投写して表示する映像の表示サイズを前記ジャンルに応
じて最大表示サイズから最小表示サイズまでの間で可変制御する判定制御部を備えること
を特徴とする。
本発明によれば、映像のジャンルが映像信号に基づいて判定され、そのジャンルに応じ
て表示サイズが可変されるため、視聴者は何ら操作することなく、映像のジャンルに応じ
た最適な表示サイズでの視聴が可能となる。
【０００６】
上記発明において、前記判定制御部は、前記映像のジャンルが映画であるか否かを判定
する映画判定部を有し、前記映画判定部によって前記映像のジャンルが映画であると判定
した場合に、前記表示サイズを前記最大表示サイズにする構成としても良い。
この構成によれば、映画の映像が投写表示される場合には、表示サイズが自動で最大表
示サイズにされるため、視聴者は何ら操作することなく、映画の映像の視聴に適した大画
面表示で迫力のある映像を楽しむことができる。
【０００７】
上記発明において、前記映画判定部は、前記映像の撮影時のフレームレートを検出する
撮影フレーム周波数検出部を有し、撮影時のフレームレートが毎秒２４フレームである場
合に、前記映像のジャンルが映画であると判定する構成としても良い。
この構成によれば、撮影時のフレームレートを検出するだけで、映像のジャンルが映画
であるか否かを簡単に判定することができる。なお、映像信号のフレームレートが必ずし
も撮影時のフレームレートであるとは限らないが、フレーム間の相関性を判断することで
、撮影時のフレームレートを推定可能である。
【０００８】
上記発明において、前記判定制御部は、前記映像のジャンルがスポーツであるか否かを
判定するスポーツ判定部を有し、前記スポーツ判定部によって前記映像のジャンルがスポ
ーツであると判定した場合に、前記表示サイズを前記最大表示サイズと前記最小表示サイ
ズとの間の表示サイズにする構成としても良い。
この構成によれば、スポーツの映像が投写表示される場合には、表示サイズが自動で最
適な表示サイズに変更されるため、視聴者は何ら操作することなく、最適な表示サイズで
スポーツの映像を楽しむことができる。
【０００９】
上記発明において、前記スポーツ判定部は、前記映像の動きベクトルに基づいて、撮影
時のパンを検出するパン検出部を有し、前記パンが検出された場合に、前記映像のジャン
ルがスポーツであると判定する構成としても良い。
この構成によれば、映像の動きベクトルに基づいてパンの有無を検出するだけで、映像
のジャンルがスポーツであるか否かを簡単に判定可能となる。なお、所定の時間内にパン
が一定回数以上検出された場合に、映像のジャンルがスポーツであると判定することで、
ジャンル判定の正確性を高めても良い。
【００１０】
上記目的を達成するために、本発明は、光源と、当該光源からの光を映像信号に基づい
て変調するライトバルブと、当該ライトバルブにより変調された光を投写する投写光学部
とを有する投写型表示装置であって、投写表示する映像のジャンルに関する情報を外部か
ら取得する情報取得部と、前記情報取得部が取得した情報に基づいて前記映像のジャンル
を判定し、前記投写光学部が投写して表示する映像の表示サイズを前記ジャンルに応じて
最大表示サイズから最小表示サイズまでの間で可変制御する判定制御部とを備えることを
特徴とする。
本発明によれば、外部から取得した情報に基づいて映像のジャンルが判定され、そのジ
ャンルに応じて表示サイズが可変されるため、視聴者は何ら操作することなく、映像のジ
ャンルに応じた最適な表示サイズでの視聴が可能となる。
【００１１】
上記発明において、前記情報取得部は、電気通信回線を通じて外部の通信端末と通信し
、前記映像のジャンルに関する情報を取得する通信部を有する構成としても良い。
なお、上記電気通信回線は例えばインターネット回線である。
また上記発明において、前記情報取得部は、放送波に重畳されている放送データを受信
し、当該放送データから前記映像のジャンルに関する情報を取得する構成としても良い。
これらの構成において、上記映像のジャンルに関する情報には、例えばＥＰＧ（電子番
組表）などがある。
【００１２】
上記発明において、前記判定制御部は、前記映像のジャンルが映画、スポーツ及びその
他のどれに該当するか判定し、前記映像のジャンルが映画である場合に、前記表示サイズ
を前記最大表示サイズにし、前記映像のジャンルがスポーツである場合に、前記表示サイ
ズを前記最大表示サイズと前記最小表示サイズとの間の表示サイズにし、前記映像のジャ
ンルがその他である場合に、前記表示サイズを前記最小表示サイズにする構成としても良
い。
この構成によれば、映像のジャンルが映画、スポーツ、及び、その他の場合に、それぞ
れのジャンルに応じて最適な表示サイズに自動で可変されるため、視聴者は何ら操作する
ことなく、映像のジャンルに応じた最適な表示サイズでの視聴が可能となる。
【００１３】
上記発明において、前記映像の画質に関する調整項目の設定値のプリセットを前記映像
のジャンル毎に保持し、前記ジャンル判定部によって判定されたジャンルに対応するプリ
セットに基づいて前記映像の画質を調整する画質調整部を備える構成としても良い。
この構成によれば、映像のジャンルに応じて最適な表示サイズの変更と共に、当該映像
のジャンルに応じた最適な画質調整が行われる。
【００１４】
上記発明において、前記画質の調整項目には、少なくともコントラスト調整を含み、前
記各プリセットのコントラスト調整値は、前記表示サイズが小さくなるにしたがって値が
小さくなるように設定されている構成としても良い。
この構成によれば、表示サイズを小さくした際に、視聴者が眩しさを感じるのが防止さ
れる。
【００１５】
上記発明において、前記投写光学部は、ズームレンズ、或いは、複数の焦点距離を備え
たマルチフォーカスレンズを有する構成としても良い。
この構成によれば、映像のジャンルに応じた表示サイズから求められるレンズのズーム
倍率に基づいてレンズを駆動するだけで表示サイズを簡単に可変することができる。
【００１６】
上記目的を達成するために、本発明は、光源からの光を、映像信号に基づいてライトバ
ルブにより変調して投写する投写表示方法において、投写して表示する映像のジャンルに
応じて、投写時の表示サイズを最大表示サイズから最小表示サイズまでの間で可変するこ
とを特徴とする。
【００１７】
上記目的を達成するために、本発明は、光源と、当該光源からの光を映像信号に基づい
て変調するライトバルブと、当該ライトバルブにより変調された光を投写する投写光学部
とを有する投写型表示装置を、投写表示する映像のジャンルを、前記映像信号に基づいて
判定し、前記投写光学部が投写して表示する映像の表示サイズを前記ジャンルに応じて最
大表示サイズから最小表示サイズまでの間で可変制御する手段として機能させるための投
写表示制御プログラムを提供する。
【発明を実施するための最良の形態】
【００１８】
以下、本発明の実施形態として、本発明が適用されたフロント投写型の投写型表示装置
（以下、単に「プロジェクタ」と言う）について図面を参照して説明する。
（第１実施形態）
図１は、本実施形態に係る投写型表示システム１０の構成を示す図である。
投写型表示システム１０は、プロジェクタ１と、スクリーン３とを有し、プロジェクタ
１には外部の機器から映像コンテンツの映像信号が入力され、当該プロジェクタ１が映像
信号に基づく映像をスクリーン３に拡大投写して表示する。さらに、プロジェクタ１は、
投写光学部の一部として投写ズームレンズ２を有し、投写ズームレンズ２のズーム倍率を
可変させることで、スクリーン３に投写する映像の投写表示サイズを最大表示サイズ３１
から最小表示サイズ３２までの間で段階的に調整可能に成されている。なお、最大表示サ
イズ３１及び最小表示サイズ３２の寸法は、スクリーン３の面積等によって当然に異なる
が、本実施形態では、最大表示サイズ３１が例えば８０インチ程度、最小表示サイズ３２
が例えば３０インチ程度に設定されている。
【００１９】
図２は、プロジェクタ１の機能的構成を示すブロック図である。
プロジェクタ１は、光源１０２と、液晶ライトバルブ１０１と、上記投写ズームレンズ
２とを備え、光源１０２が放射した光を、映像信号が書き込まれた液晶ライトバルブ１０
１を透過させ、投写ズームレンズ２により倍率調整してスクリーン３に映像を拡大投写す
る。より具体的には、プロジェクタ１は、映像信号の入力端子１１０を有し、この入力端
子１１０から入力された映像信号がインターフェース（Ｉ／Ｆ）回路１１１を通してＩ／
Ｐ変換回路１１２に出力される。
Ｉ／Ｐ変換回路１１２は、インターレース方式の映像信号が入力された場合に、上記液
晶ライトバルブ１０１の駆動に合うようにプログレッシブ方式の映像信号に変換しスケー
リング回路１１３に出力する。スケーリング回路１１３は、映像信号の画素数（解像度）
を上記液晶ライトバルブ１０１の画素数に応じて変換し画質調整回路１１４に出力する。
【００２０】
画質調整回路１１４は、映像の明るさ、コントラスト、シャープネス、色の濃さ、色相
などの画質調整項目を調整しガンマ補正回路１１５に出力する。画質調整回路１１４には
、画質調整項目の各調整項目の調整値が適宜セットされた複数のプリセットが予め保持さ
れており、ユーザ（視聴者）は所望のプリセットを選択し、或いは、各調整項目の調整値
を個別に調整して画質調整を行う。
上記ガンマ補正回路１１５は、液晶ライトバルブ１０１のガンマ特性に基づいて映像信
号を補正し駆動回路１１６に出力し、駆動回路１１６が映像信号を液晶ライトバルブ１０
１に書き込み、当該映像信号に対応した映像がスクリーン３に拡大投写される。
【００２１】
なお、図２では図示を省略したが、プロジェクタ１には、上記液晶ライトバルブ１０１
及び液晶ライトバルブ１０１に映像信号を書き込む回路系がＲＧＢの各色ごとに設けられ
ている。光源１０２の放射光は、ダイクロイックミラーなどでＲＧＢの３色に分離され、
各色の光が、対応する色の液晶ライトバルブ１０１を照明し、各液晶ライトバルブ１０１
を透過した透過光がダイクロイックプリズムなどで合成され、１つの投写ズームレンズ２
を通って拡大投写され、これにより、スクリーン３にはカラー映像が投写されるようにな
っている。
【００２２】
投写ズームレンズ２には、ズーム倍率可変用のモータ１０４と、ズーム設定信号２０１
に基づいてモータ１０４を駆動するモータ駆動回路１０５と、投写ズームレンズ２のズー
ム状態を検出しモータ駆動回路１０５に出力する検出回路１０６とが設けられており、ズ
ーム設定信号２０１によりズーム倍率が指定されると、モータ駆動回路１０５が検出回路
１０６からの検出値（現在のズーム状態）が、指定されたズーム倍率になるようにフィー
ドバック制御する。
【００２３】
上記ズーム設定信号２０１は、コンテンツ判定回路（判定制御部）１０８及びズーム手
動設定回路１０９の各々から出力され、いずれかのズーム設定信号２０１がスイッチ１０
７にて排他的に選択されモータ駆動回路１０５に入力される。ズーム手動設定回路１０９
は、視聴者が手動で投写ズームレンズ２のズーム倍率を可変させる場合、及び、表示サイ
ズごとのズーム倍率を予め手動設定する場合に使用されるものである。コンテンツ判定回
路１０８は、投写する映像のジャンル（種別）を映像信号に基づいて判定し、当該判定結
果に基づいて表示サイズを変更すべくズーム倍率を可変制御するものである。
【００２４】
ズーム手動設定回路１０９は、図示せぬアップダウンカウンタとＤＡコンバータとを有
し、アップボタンまたはダウンボタンが操作されるごとにアップダウンカウンタのカウン
タ値をアップまたはダウンし、その出力値をＤＡコンバータを通してアナログ値のズーム
設定信号２０１として出力する。スイッチ１０７がズーム手動設定回路１０９側に切換え
られている場合には、このズーム手動設定回路１０９から出力されたズーム設定信号２０
１がモータ駆動回路１０５に入力され、アップボタンまたはダウンボタンの操作に応じて
ズーム倍率が可変される。また、表示サイズごとにズーム倍率を手動設定する場合には、
アップダウンカウンタのカウンタ値が手動設定信号２０４としてズーム手動設定回路１０
９からコンテンツ判定回路１０８に入力され、表示サイズごとのズーム倍率設定値が当該
コンテンツ判定回路１０８に記録される。
【００２５】
図３は、コンテンツ判定回路１０８の構成を示すブロック図である。コンテンツ判定回
路１０８は、判定部３００と、ズーム設定信号出力部３０３とを有している。
判定部３００には、入力端子１１０（図２参照）から入力された映像信号が入力信号１
２１として入力されており、この入力信号１２１に基づいて、映像のジャンルが判定され
る。より具体的には、判定部３００は、入力信号１２１に基づいて映像の撮影フレーム周
波数を検出する撮影フレーム周波数検出部（映画判定部）３１１と、入力信号１２１に基
づいて映像の輝度ヒストグラムのパターンを解析するヒストグラム解析部３１２と、入力
信号１２１に基づいて映像のパンを検出するパン検出部（スポーツ判定部）３１３とを有
し、更に、これら撮影フレーム周波数検出部３１１、ヒストグラム解析部３１２及びパン
検出部３１３の検出結果及び解析結果に基づいて、映像のジャンルを判定する判定回路３
０１とを有している。
【００２６】
撮影フレーム周波数検出部３１１は、図４に示すように、フィールドメモリ３２１と、
相関性検出回路３２２と、パターン検出回路３２３とを有し、上記入力信号１２１がフィ
ールドメモリ３２１及び相関性検出回路３２２に入力されている。
フィールドメモリ３２１は、映像信号たる入力信号１２１を１フィールド単位でデジタ
ルデータとして記録すると共に、１フィールド分タイミングを遅らせた入力信号１２１Ａ
を相関性検出回路３２２に順次出力する。
相関性検出回路３２２は、入力信号１２１と、フィールドメモリ３２１からの入力信号
１２１Ａとに基づいて、フィールドごとに前後フィールドとの相関性を示す相関性信号３
３３を出力するものであり、相関性が高い場合にはハイレベルの信号を低い場合にはロー
レベルの信号を出力する。
パターン検出回路３２３は、相関性検出回路３２２の相関性信号３３３におけるレベル
遷移のパターンを判定し、判定回路３０１に出力する。
【００２７】
ここで、フィールドの相関性及びパターンは、３５ミリ又は１６ミリの映画と、家庭用
ビデオカメラで撮影された動画やニュース、スポーツ中継等のテレビ放送とでは、大きく
異なっている。具体的には、通常の３５ミリ又は１６ミリの映画では、毎秒２４コマのコ
マ数で撮影されており、撮影コマをＡ、Ｂ、Ｃ、・・・のように表すと、図５に示すよう
に、映画の映像信号３３１は、異なる静止画が１／２４秒ごとに配置された構成（いわゆ
る、２４ｐ（プログレッシブ）映像）となる。
【００２８】
一方、テレビ放送の標準方式である４８０ｉ（インターレース）や高精細の１０８０ｉ
（インターレース）といった通常最も多く使用されている映像信号は、毎秒３０フレーム
（６０フィールド）のインターレース方式で記録されている。したがって、テレビ放送さ
れた、或いは、ＤＶＤ等に記録されている映画の映像信号は、一般に、２−３プルダウン
と呼ばれる変換処理により、毎秒２４コマで撮影された映像が、毎秒３０フレーム(６０
フィールド)の映像信号に変換されたものとなる。
【００２９】
２−３プルダウンにおいては、映画の映像信号３３１は、最初のコマＡが、ＡＯ、ＡＥ
、ＡＯ（Ｏ：奇数フィールド、Ｅ：偶数フィールド）で示す３つのフィールドに変換され
、次のコマＢがＢＥ、ＢＯで示す２つのフィールドに変換される。これと同様に、次のコ
マＣが３つのフィールドに変換され、次のＤコマが２つのフィールドに変換される。この
ように、２−３プルダウンにおいては、毎秒２４コマ（２４ｐ（プログレッシブ））の映
像信号３３１が２コマずつ５フィールドに変換されることで６０フィールドの映像信号に
変換される。なお、１つの奇数フィールド及び偶数フィールドにより１フレームが構成さ
れる。
【００３０】
したがって、映画の映像信号３３１が相関性検出回路３２２に入力された場合、出力さ
れる相関性信号３３３Ａは、図５に示すように、１コマから生成された３つのフィールド
により相関性が高くなる２フィールド分のハイレベルパルス３３３Ａ−１と、次の１コマ
から生成された２つのフィールドにより相関性が高くなる１フィールド分のハイレベルパ
ルス３３３Ａ−２とが周期的に出現するパターンを呈する。
【００３１】
一方、映画以外の映像である通常のビデオカメラ等で撮影された動画や、テレビニュー
ス、スポーツ中継等の映画以外のテレビ放送においては、映像が６０ｉ（インターレース
）動画であるため、１／６０秒ごとの各フィールドが互いに異なる静止画から構成され、
各フィールドの前後フィールドとの相関性は低い。したがって、このような映像において
は、ローレベルを維持する相関性信号３３３Ｂが得られる。また、映像が静止画である場
合には、各フィールド同士の相関性が非常に高くなるため、静止画の映像においては、ハ
イレベルを維持する相関性信号３３３Ｃが得られる。
【００３２】
パターン検出回路３２３は、相関性検出回路３２２から出力された相関性信号３３３の
パターンが、上記相関性信号３３Ａ〜３３３Ｃのどのパターンに該当するかを検出し、判
定回路３０１に出力する。すなわち、撮影フレーム周波数検出部３１１の検出結果により
、映像が２４ｐ（プログレッシブ）動画を２−３プルダウン処理してなる映画であるか、
映画以外の６０ｉ（インターレース）動画であるか、或いは、静止画であるかが判定され
る。
【００３３】
上記パン検出部３１３は、図６に示すように、フィールドメモリ３４１と、動きベクト
ル検出回路３４２と、パターン検出回路３４３とを有し、入力信号１２１がフィールドメ
モリ３４１及び動きベクトル検出回路３４２に入力され、さらに、動きベクトル検出回路
３４２には、フィールドメモリ３４１から１フィールド分ずれた入力信号１２１Ｂが入力
されている。動きベクトル検出回路３４２は、入力信号１２１、１２１Ｂに基づいて、前
フィールドの画像と現フィールドの画像とを比較して動きベクトルを検出し、パターン検
出回路３４３に出力する。
【００３４】
より具体的には、動きベクトル検出回路３４２は、入力信号１２１が入力されると、所
定期間毎に画像をサンプリングして取得すると共に、このサンプリング周期と同期して、
フィールドメモリ３４１からの入力信号１２１Ｂをサンプリングし、入力信号１２１のサ
ンプリング画像から１フィールド分前の画像を取得する。
サンプリング画像３４５には、図７に示すように、動きベクトルの検出対象領域である
検出領域３４６が４箇所設けてられており、動きベクトル検出回路３４２は、１フィール
ド前のサンプリング画像３４５の各検出領域３４６における代表点が、現フィールドの画
像のどこに動いたかを各検出領域３４６内で入力信号の相関をとることにより動きベクト
ル３４７を検出する。
【００３５】
ここで、例えば、撮影時に撮影者が撮影カメラを水平方向に移動させる、いわゆる「パ
ン」と呼ばれるカメラワークを行った映像が入力された場合、各検出領域３４６では、水
平方向に向いたほぼ同じ大きさの動きベクトル３４７が検出され、かかる動きベクトル３
４７の検出により「パン」が検出可能となる。
また、撮影カメラがボールを追うようにパンされることが多い、例えばサッカー等のス
ポーツ中継の映像が入力された場合、動きベクトル検出回路３４２においては、「パン」
を示す動きベクトル３４７が頻繁に検出されることとなる。
パターン検出回路３４３は、動きベクトル検出回路３４２の検出結果に基づいて、映像
の「パン」を検出し、判定回路３０１に出力する。
【００３６】
ヒストグラム解析部３１２及び判定回路３０１は共に図８に示す演算回路３０４により
構成されている。演算回路３０４は、演算処理装置としてのＣＰＵ３５１と、ＣＰＵ３５
１のワークエリアとして機能するＲＡＭ３５３と、ＣＰＵ３５１が実行するプログラムを
格納するＲＯＭ３５２とを有し、これらがバス３５５を介して互いに接続されている。さ
らに、バス３５５には、信号の入出力インターフェース３５４が接続されており、この入
出力インターフェース３５４から入力信号が入力される。
上記ＲＯＭ３５２には、ヒストグラム解析プログラム３５８及びコンテンツ判定プログ
ラム３５９が予め格納されている。
ＣＰＵ３５１は、ヒストグラム解析部３１２として機能する場合、ヒストグラム計算プ
ログラム３５８を実行し、入出力インターフェース３５４から入力される入力信号１２１
を所定周期でサンプリングし、各サンプリング画像の輝度ヒストグラムを算出する。
【００３７】
映像が映画の場合とホームビデオの場合とでは、輝度ヒストグラムに比較的顕著な違い
が生じる。すなわち、映画は、一般的に暗い環境の映画館で上映されるため、映画の映像
においては、映像の輝度が全体的に低輝度側（黒色）に偏る傾向があり、図９（Ａ）に示
すような輝度ヒストグラム信号が得られる。
一方、一般的な家庭用ビデオカメラで撮影されたホームビデオでは、家庭の明るい部屋
に置かれたテレビで視聴されることが多いことから、映画映像に比べて全体的に輝度が高
く、また、中間輝度付近にピークを持つ傾向があり、図９（Ｂ）に示すような輝度ヒスト
グラムが得られる。
【００３８】
したがって、演算回路３０４がヒストグラム解析部３１２として機能する場合、ＣＰＵ
３５１は、入力信号１２１に対してヒストグラム解析を行って輝度ヒストグラム信号３６
１を生成し、その輝度ヒストグラム信号３６１が映画の傾向と、ホームビデオの傾向との
どちらに該当するかを判定し、ヒストグラム解析結果としてＲＡＭ３５３に格納する。
【００３９】
また、演算回路３０４が判定回路３０１として機能する場合、ＣＰＵ３５１がコンテン
ツ判定プログラム３５９を実行する。この場合には、撮影フレーム周波数検出部３１１及
びパン検出部３１３からの検出信号が入出力インターフェース３５４を介してＣＰＵ３５
１に入力され、また、ＲＡＭ３５３に格納されているヒストグラム解析結果がＣＰＵ３５
１によって参照される。
ＣＰＵ３５１は、撮影フレーム周波数検出結果、パン検出結果及びヒストグラム解析結
果に基づいて、入力信号１２１の映像のジャンルを判定する。
【００４０】
より具体的には、図１０に示すように、ＣＰＵ３５１は、撮影フレーム周波数検出部３
１１の検出結果に基づいて、入力信号１２１の映像が２４ｐ（プログレッシブ）で撮影さ
れた動画であるか、静止画であるか、或いは、６０ｉ（インターレース）の動画であるか
を判断する（ステップＳａ１）。
映像が２４ｐ（プログレッシブ）で撮影された動画である場合、ＣＰＵ３５１は映像の
ジャンルを映画と判定する（ステップＳａ２）。
また、映像が６０ｉ（インターレース）の動画である場合、ＣＰＵ３５１は、パン検出
部３１３の検出結果に基づいて、映像に「パン」が検出されているか否かを判定し（ステ
ップＳａ３）、「パン」が検出されている場合には（ステップＳａ３：Ｙ）、映像のジャ
ンルを「スポーツ」と判定し（ステップＳａ４）、「パン」が検出されていない場合には
（ステップＳａ３：Ｎ）、映像のジャンルをその他の動画と判定する（ステップＳａ５）
。
【００４１】
また、映像が静止画であると判定されている場合、ＣＰＵ３５１は、ヒストグラム解析
結果により得られた輝度ヒストグラムが映画の傾向を示すか否かを判定し（ステップＳａ
６）、映画の傾向を示している場合には（ステップＳａ６：Ｙ）、映像のジャンルを映画
と判定し（ステップＳａ２）、映画の傾向を示さない場合には（ステップＳａ６：Ｎ）、
映像のジャンルをその他の動画と判定する（ステップＳａ５）。この「その他の動画」と
は、最小表示サイズ３２、或いは、最小表示サイズ３２に近い表示サイズでの視聴が最適
と言える動画である。
ＣＰＵ３５１は、上記のようにして判定した映像のジャンルをズーム設定信号出力部３
０３に出力する。
【００４２】
なお、一般に、撮影時の「パン」はスポーツ撮影時よりは頻度が少ないものの他のジャ
ンルの映像の撮影時にも使用されることがあり、また、映画以外の一般的な動画映像にお
いても輝度ヒストグラムの特徴が映画映像の輝度ヒストグラムの特徴と合致するシーンが
含まれることがある。したがって、映像のジャンルをより正確に判定するために、コンテ
ンツ判定回路１０８は、例えば、放送チャンネルの切換え時や、入力信号１２１の入力端
子１１０の切換え時に、或いは、所定時間（例えば数分〜数十分時間等）ごとに、一定時
間（例えば数十秒）にわたり、撮影フレーム周波数の検出、パンの検出及び輝度ヒストグ
ラムの検出を複数回行うことで検出数を増やし、それらを平均した値に基づいて、ジャン
ルを判定している。
【００４３】
ズーム設定信号出力部３０３は、映像のジャンルに最適なズーム倍率を出力するもので
あり、その構成を図１１に示す。この図において、ズーム設定データテーブル４５１は、
表示サイズが大サイズ、中サイズ及び小サイズの各々について投写ズームレンズ２のズー
ム倍率を記録するものである。これらのズーム倍率は、ユーザが設定可能に構成されてお
り、ズーム設定信号出力部３０３には、ズーム手動設定回路１０９（図２参照）から出力
された手動設定信号２０４に基づいて、設定対象の表示サイズを選択する選択部４５２と
、当該表示サイズに対するズーム倍率を手動設定信号２０４に基づいてズーム設定データ
テーブル４５１に記録する書込部４５３とが設けられている。
【００４４】
データセレクタ４５４は、判定回路３０１の判定結果に基づいてズーム倍率を決定する
。具体的には、データセレクタ４５４は、映像のジャンルが「映画」の場合には、最大表
示サイズ３１を、「スポーツ」の場合には最大表示サイズ３１及び最小表示サイズ３２の
中間の表示サイズを、「その他の動画」の場合には最小表示サイズ３２をそれぞれ決定し
、その表示サイズに対応するズーム倍率をズーム設定データテーブル４５１を参照して特
定し、ＤＡコンバータ４５５を通じてアナログ信号のズーム設定信号２０１としてスイッ
チ１０７に出力する。
【００４５】
したがって、スイッチ１０７がコンテンツ判定回路１０８側に切換えられている場合に
は、投写される映像のジャンルに応じて最適な表示サイズとなるようにズーム倍率が決定
され映像が投写される。これにより、映画では大画面、スポーツでは臨場感のある中程度
のサイズ、その他の映像では違和感のない小画面に自動的に切換えられ、人為的な調整を
行うことなく、映像ごとに常に最適な表示サイズで、その映像を視聴することが可能であ
る。
【００４６】
以上説明したように、本実施形態によれば、コンテンツ判定回路１０８が映像信号たる
入力信号１２１に基づいて映像のジャンルを判定すると共に、投写ズームレンズ２のズー
ム倍率を映像のジャンルに応じて可変して映像の表示サイズを可変する構成としたため、
視聴者は何ら操作することなく、映像のジャンルに応じた最適な表示サイズで映像を視聴
することができる。
【００４７】
特に、本実施形態によれば、映像のジャンルが映画であるとコンテンツ判定回路１０８
が判定した場合に、モータ駆動回路１０５が投写ズームレンズ２を駆動して表示サイズを
最大表示サイズ３１に変更する構成としたため、視聴者は何ら操作することなく、映画の
映像の視聴に適した大画面表示で迫力のある映像を楽しむことができる。
【００４８】
さらに、本実施形態によれば、映像のジャンルがスポーツであるとコンテンツ判定回路
１０８が判定した場合に、モータ駆動回路１０５が投写ズームレンズ２を駆動して表示サ
イズを最大表示サイズ３１と最小表示サイズ３２の間の表示サイズに変更する構成とした
ため、視聴者は何ら操作することなく、スポーツの映像の視聴に適した表示サイズで映像
を楽しむことができる。
【００４９】
また、本実施形態によれば、映像が映画及びスポーツ以外のその他の動画であるとコン
テンツ判定回路１０８が判定した場合に、モータ駆動回路１０５が投写ズームレンズ２を
駆動して表示サイズを最小表示サイズ３２に変更する構成としたため、視聴者は何ら操作
することなく、映画及びスポーツ以外のその他の動画に最適な表示サイズで視聴すること
が可能となる。
【００５０】
（第２実施形態）
第１実施形態では、映像のジャンルに応じて表示サイズを可変するプロジェクタ１につ
いて説明した。これに対して、本実施形態では、映像のジャンルに応じて表示サイズと共
に画質を調整するプロジェクタ１Ａについて説明する。
図１２は、本実施形態に係るプロジェクタ１Ａの機能的構成を示すブロック図である。
画質調整回路１１４は、第１実施形態にて説明したように、映像の明るさ、コントラス
ト、シャープネス、色の濃さ、色相などの画質調整項目を調整するものであり、この画質
調整回路１１４には、画質調整項目の各調整項目の調整値が適宜セットされた複数のプリ
セットＰが予め保持されている。
【００５１】
プリセットＰには、「シアター」、「ダイナミック」及び「スタンダード」の３つが予
め設定されている。「シアター」は、黒色側（低輝度側）での色再現性が高く、コントラ
ストやシャープネスが比較的抑えられた画質設定であり、映画の視聴に最適な設定である
。また、「ダイナミック」は、コントラストやシャープネスが比較的強く、メリハリのあ
る映像となる画質設定であり、スポーツ番組の視聴に最適な設定である。「スタンダード
」は、一般的な動画視聴に最適な設定である。
【００５２】
ここで、投写型表示装置においては、表示サイズが小さくなる程、単位面積あたりの光
度が高くなるため、視聴者が眩しさを感じることがある。そこで、プリセットＰにおいて
は、表示サイズが小さくなるほど、すなわち、「シアター」、「ダイナミック」、「スタ
ンダード」の順に、コントラストのコントラスト調整値が小さくなるように予め設定され
ており、表示サイズが小さくなった場合には、コントラストを低めることで、眩しさを感
じさせないようにしている。
【００５３】
上記画質調整回路１１４には、図１２に示すように、３つのプリセットＰのいずれかを
選択する画質選択信号２１２がスイッチ１２７を介して入力されている。スイッチ１２７
は、画質選択信号２１２の出力元を画質手動選択回路１２９と、コンテンツ判定回路１０
８Ａとの間で選択的に切換えるものである。
画質手動選択回路１２９は、上記プリセットＰを視聴者が手動で選択するものである。
すなわち、視聴者が所望のプリセットで映像を視聴する場合には、画質手動選択回路１２
９で手動で所望のプリセットＰを選択することになる。
これに対して、コンテンツ判定回路１０８Ａは、映像のジャンルに最適な表示サイズを
出力するのに加え、当該ジャンルに最適なプリセットを自動で選択し、画質選択信号２１
２をスイッチ１２７に出力する。
【００５４】
図１３は、コンテンツ判定回路１０８Ａの構成を示す図である。
本実施形態のコンテンツ判定回路１０８Ａには、判定回路３０１による映像のジャンル
の判定結果に基づいて、画質調整のプリセットＰを選択し画質選択信号２１２として出力
する画質プリセット出力部３０２が設けられている。
画質プリセット出力部３０２は、図１４に示すように、判定回路３０１の出力に応じた
プリセットＰを選択する選択回路４４０を有している。選択回路４４０には、映像のジャ
ンルごとの３本の縦線４２１〜４２３と、プリセットＰごとの３本の横線４３１〜４３３
とが設けられており、各横線４３１〜４３３がいずれかの１本の縦線４２１〜４２３と選
択接点４４１により接続されている。
【００５５】
すなわち、「シアター」のプリセットＰの横線４３１は、ジャンルが映画の縦線４２１
と選択接点４４１Ａにより接続され、「スタンダード」のプリセットＰの横線４３２は、
ジャンルがその他の縦線４２３と選択接点４４１Ｂにより接続され、また、「ダイナミッ
ク」のプリセットＰの横線４３３は、ジャンルがスポーツの縦線４２２と選択接点４４１
Ｃにより接続されている。このような構成の下、判定回路３０１が判定した映像のジャン
ルに対応する縦線４２１〜４２３がアクティブになされると、その縦線４２１〜４２３に
接点接続されている１本の横線４３１〜４３３がアクティブになって、映像のジャンルに
対応するプリセットＰが選択される。このようにして選択されたプリセットＰは、画質プ
リセット出力部３０２から画質選択信号２１２としてスイッチ１２７に出力される。
【００５６】
したがって、スイッチ１２７をコンテンツ判定回路１０８Ａ側に切換えておくことで、
入力端子１１０に入力された映像のジャンルに応じて最適な画質調整のプリセットＰが自
動的に選択され、このプリセットＰに基づいて画質調整回路１１４により画質調整が行わ
れる。これにより、視聴者が、映像に合わせて画質調整をせずとも、映像のジャンルに最
適な画質で視聴することが可能である。
なお、上記画質プリセット出力部３０２においては、選択接点４４１Ａ〜４４１Ｃの位
置を変更することで縦線４２１〜４２３が接続される横線４３１〜４３３を変更し、ジャ
ンルとプリセットＰとの対応関係を変更することも可能である。
【００５７】
以上説明したように、本実施形態によれば、視聴者が、映像に合わせて画質調整をせず
とも、映像のジャンルに最適な画質で視聴することが可能となり、さらに、各プリセット
Ｐのコントラスト調整値は、表示サイズが小さくなるにしたがって値が小さくなるように
設定されているため、映像のジャンルに応じて表示サイズが小さくなった際に、視聴者に
眩しさを感じさせてしまうのを防止できる。
【００５８】
（第３実施形態）
上述した第１及び第２実施形態では、プロジェクタ１、２Ａが入力端子１１０から入力
された入力信号１２１に基づいて映像のジャンルを判定する構成とした。これに対して、
本実施形態では、放送番組の番組情報を取得し、当該番組情報に基づいてジャンルを特定
する構成のプロジェクタ１Ｂを説明する。
図１５は、本実施形態に係るプロジェクタ１Ｂの構成を示すブロック図である。プロジ
ェクタ１Ｂは、デジタル放送波を受信するアンテナ５０１及びデジタル放送チューナ回路
５０２を有し、このデジタル放送チューナ回路５０２にてデコードされた映像信号がイン
ターフェース回路１１１に入力される。
【００５９】
上記デジタル放送波には、テレビ放送の映像信号及び音声信号の他に、番組データ５０
３がデータ放送として重畳されており、この番組データ５０３がデジタル放送チューナ回
路５０２からコンテンツ判定回路１０８Ｂに入力されている。上記番組データ５０３は、
現在受信しているテレビ放送番組のジャンルの情報を含むものであり、例えばＥＰＧ（電
子番組表）等である。
コンテンツ判定回路１０８Ｂは、映像信号の映像のジャンルを番組データ５０３に基づ
いて特定し、第１実施形態と同様に、ジャンルに応じて表示サイズを可変する。
【００６０】
（第４実施形態）
本実施形態では、電気通信回線の一態様たるインターネット回線を通じて取得可能な情
報に基づいて映像のジャンルを特定する構成のプロジェクタ１Ｃを説明する。
図１６は、本実施形態に係るプロジェクタ１Ｃの構成を示すブロック図である。プロジ
ェクタ１Ｃは、ネットワークアクセス部５１１を有している。ネットワークアクセス部５
１１のＬＡＮ入力端子５１０は、インターネット回線との中継器たるルータ等のＬＡＮ端
子に接続されており、ネットワークアクセス部５１１は、インターネット回線を通じて外
部の通信端末（電子番組配信サーバなど）にアクセスし、ＥＰＧ（電子番組表）を取得し
、コンテンツ判定回路１０８Ｃに出力する。
【００６１】
一方、映像信号の入力端子１１０には、セットトップボックス（ＳＴＢ）やデジタル放
送チューナ装置などの外部チューナ装置が受信した映像信号が入力されている。この外部
チューナ装置をリモコンで操作するときの赤外線信号は、外部チューナ装置の他にネット
ワークアクセス部５１１のリモコン信号受光部５１３でも受信される。
ネットワークアクセス部５１１は、リモコン信号受光部５１３にて受信された赤外線信
号に基づいて、現在選局されているチャンネルを特定し、上記ＥＰＧと共に選局チャンネ
ルをコンテンツ判定回路１０８Ｃに出力する。そして、コンテンツ判定回路１０８Ｃが映
像信号の映像のジャンルをＥＰＧ及び選局チャンネルに基づいて特定し、第１実施形態と
同様に、ジャンルに応じて表示サイズを可変する。
【００６２】
なお、上述した第１〜第４実施形態の各々は、あくまでも本発明の一態様を示すもので
あり、本発明の範囲内で任意に変形および応用が可能である。
例えば各実施形態では、プロジェクタ１、２Ａ〜２Ｃが表示サイズを可変するために、
投写ズームレンズ２を備える構成を例示したが、これに限らない。すなわち、投写ズーム
レンズ２に代えて、複数の焦点距離を選択的に切換えて使用可能なマルチフォーカスレン
ズや、焦点距離の異なる複数のレンズを有し各レンズを選択的に使用するユニットを用い
ても良い。なお、これらの光学系は、レンズを使用する透過型光学系に限らず、凹面、平
面、或いは凸面の反射ミラーを用いた反射型光学系、或いは、透過型光学素子及び反射型
光学素子が混在する構成としても良い。
また、各実施形態では、投写型表示装置の一態様として、フロント投写型の投写型表示
装置を説明したが、これに限らず、本発明の投写型表示装置は、リア投写型の投写型表示
装置（いわゆる、「リアプロダクションテレビ」）として構成しても良い。
【図面の簡単な説明】
【００６３】
【図１】本発明の第１実施形態に係る投写型表示システムの構成を示す図。
【図２】同実施形態に係るプロジェクタの構成を示すブロック図。
【図３】同実施形態に係るコンテンツ判定回路の構成を示すブロック図。
【図４】同実施形態に係る撮影フレーム周波数検出部の構成を示すブロック図。
【図５】同撮影フレーム周波数検出部の動作説明図。
【図６】同実施形態に係るパン検出部の構成を示すブロック図。
【図７】同パン検出部の動作説明図。
【図８】同実施形態に係る演算回路の構成を示すブロック図。
【図９】輝度ヒストグラムを示す図。
【図１０】同コンテンツ判定回路の動作説明図。
【図１１】同実施形態に係るズーム設定信号出力部の構成を示すブロック図。
【図１２】本発明の第２実施形態に係るプロジェクタの構成を示すブロック図。
【図１３】同実施形態に係るコンテンツ判定回路の構成を示すブロック図。
【図１４】画質プリセット部の動作を説明するための図。
【図１５】本発明の第３実施形態に係るプロジェクタの構成を示すブロック図。
【図１６】本発明の第４実施形態に係るプロジェクタの構成を示すブロック図。
【符号の説明】
【００６４】
１、１Ａ〜１Ｃ…プロジェクタ（投写型表示装置）、２…投写ズームレンズ、３…スク
リーン、１０…投写型表示システム、３０…ズーム設定信号出力部、３１…最大表示サイ
ズ、３２…最小表示サイズ、１０１…液晶ライトバルブ、１０２…光源、１０４…モータ
、１０８、１０８Ａ〜１０８Ｃ…コンテンツ判定回路、１１４…画質調整回路、１２１…
入力信号、２０１…ズーム設定信号、２１２…画質選択信号、３０２…画質プリセット出
力部、３０３…ズーム設定信号出力部、３０４…演算回路、３１１…撮影フレーム周波数
検出部、３１２…ヒストグラム解析部、３１３…パン検出部、４５１…ズーム設定データ
テーブル、５０２…デジタル放送チューナ回路、５０３…番組データ、５１１…ネットワ
ークアクセス部、Ｐ…プリセット。
【図１】
2008135801.tif 000003
【図２】
2008135801.tif 000004
【図３】
2008135801.tif 000005
【図４】
2008135801.tif 000006
【図５】
2008135801.tif 000007
【図６】
2008135801.tif 000008
【図７】
2008135801.tif 000009
【図８】
2008135801.tif 000010
【図９】
2008135801.tif 000011
【図１０】
2008135801.tif 000012
【図１１】
2008135801.tif 000013
【図１２】
2008135801.tif 000014
【図１３】
2008135801.tif 000015
【図１４】
2008135801.tif 000016
【図１５】
2008135801.tif 000017
【図１６】
2008135801.tif 000018